(57)【要約】【課題】電子装置関し、シール性能を高め、かつ、小型化することを目的とする。【解決手段】ケーシング１に着脱可能に装着される蓋体２とケーシング１の少なくともいずれか一方に固定されるパッキン３によりケーシング１と蓋体２との境界に要シール領域を画成した電子装置であって、  前記蓋体２はケーシング１に形成されたガイド部４に沿ってスライド可能なスライド蓋として形成され、  かつ、前記パッキン３によるシール面は、閉蓋操作先端に行くに従って蓋体２のスライド面からの高さが漸次低背となる傾斜面により形成される。【選択図】図４
2007157779.tif 000002
【特許請求の範囲】
【請求項１】
ケーシングに着脱可能に装着される蓋体とケーシングの少なくともいずれか一方に固定されるパッキンによりケーシングと蓋体との境界に要シール領域を画成した電子装置であって、
前記蓋体はケーシングに形成されたガイド部に沿ってスライド可能なスライド蓋として形成され、
かつ、前記パッキンによるシール面は、閉蓋操作先端に行くに従って蓋体のスライド面からの高さが漸次低背となる傾斜面により形成される電子装置。
【請求項２】
前記シール面の傾斜面がパッキンの固定面からの高さ変化により形成される請求項１記載の電子装置。
【請求項３】
前記シール面の傾斜面がパッキンの固定面の高さ変化により形成される請求項１記載の電子装置。
【請求項４】
前記パッキンがＯリングである請求項３記載の電子装置。
【請求項５】
前記パッキンは、頂部においてシール面を構成する枠状の膨隆部をシート状の基部の表面に膨隆させて形成される請求項１、２または３記載の電子装置。
【発明の詳細な説明】
【技術分野】
【０００１】
本発明は電子装置に関するものである。
【背景技術】
【０００２】
ケーシングに蓋を装着することにより、パッキンによりシールされた領域をケーシング内に画成する電子装置としては、特許文献１に記載のものが知られている。この従来例において、ケーシングにはバッテリの装着部が形成され、その底壁にスプリングコネクタが固定される。
【０００３】
上記装着部内に収容されるバッテリには装着状態において上記スプリングコネクタに接触する接点パットが形成されており、スプリングコネクタと接点パットとの接触部をシール領域として防水するために、バッテリとスプリングコネクタとの間にはパッキンが介装される。パッキンは接点パットが挿通可能な円孔を有し、装着部を電池カバー（蓋体）により閉塞した状態で所要のシール圧が発生する。
【０００４】
しかし、上述した従来例は、接点パット周りに限定してシールを行うものであるために、装着部内の広い範囲をシール領域とすることができないという問題がある。この欠点を解消するためには、蓋体の周縁にシール面を形成することが有効であるが、この場合には以下の問題が発生する。
【０００５】
すなわち、上記従来例において蓋体はスライド蓋として形成されるが、蓋体の周縁にシール面を設定すると、閉蓋操作操作に伴ってパッキンが擦れるために、スライド蓋の採用は不可能で、蓋体にはパッキンの撓み方向に押し付けてケーシングに弾発係止させる構成のものを使用する必要がある。
【０００６】
このように構成された蓋体は、パッキンのシール面圧に対する反力の方向と、弾発係止方向が一致するために、パッキンの弾性復元力による蓋体のケーシングからの脱離を防止するためには、蓋体のケーシングへの係止力を大きくする必要がある。とりわけ、シール領域が広くなると、シール面の全長が長くなって反力も大きくなるために蓋体周りの剛性を高くする等、大型化の要因が多くなり、装置の小型化が困難になる。
【特許文献１】特開２００１-１８５２８０号公報
【発明の開示】
【発明が解決しようとする課題】
【０００７】
本発明は、以上の欠点を解消すべくなされたものであって、シール性能が高く、かつ、小型化の可能な電子装置の提供を目的とする。
【課題を解決するための手段】
【０００８】
電子装置はケーシング１と、このケーシング１に装着される蓋体２とを有し、蓋体２とケーシング１との境界に要シール領域が設定される。要シール領域は  例えばバッテリ８のように防水環境下での使用が必要な部品を収容するための凹部であっても、あるいは表面に配線等が施されて防水が必要な平坦な領域であってもよく、さらには、これらは蓋体２側に配置されるものであってもよい。
【０００９】
要シール領域をシールするパッキン３は、スライド蓋として形成される蓋体２、ケーシング１のいずれか一方、あるいは双方に固定され、蓋体２を装着した状態でケーシング１、蓋体２、あるいは他のパッキン３との接触部にシール面を構成する。シール面は、上記蓋体２の閉蓋操作方向に漸次高さの変化する傾斜面７により形成され、蓋体２をケーシング１に形成されるガイド部４により構成されるスライド面に沿って閉蓋方向にスライドさせると、一方の傾斜面７が他方に乗り上がるようにして重合してシール面が構成される。
【００１０】
シール面が、閉蓋操作先端に行くに従って蓋体２のスライド面からの高さが漸次低背となる傾斜面７により形成される本発明において、蓋体２を閉じた状態においてシール面圧による反力はシール面に直交する方向に発生する。傾斜面７からなるシール面に直交する反力は、蓋体２のスライド方向の分力と、スライド方向に直交する方向の分力に分けて負担することが可能であるために、反力の全体を同一方向の係止部のみにより負担する上述した従来例に比して、効力発生部を分力方向に分散配置することが可能となる。この結果、蓋体２の係止部に高い剛性、強度を要しないために、装置の小型化が可能になる。
【００１１】
また、蓋体２のスライド方向に直交する方向の分力は、ケーシング１に形成され、高い強度、剛性が期待できるガイド部４により負担され、かつ、蓋体２はガイド部４に対する脱離を考慮する必要がないために、厚肉化等をすることなく、必要な強度、剛性を確保することができる。
【００１２】
パッキン３はＯリング等、シール面が要シール領域を包囲することができるような枠状、あるいはリング状部材であれば足りるが、上記枠状、あるいはリング状部分をシート状の基部６の表面に膨隆する膨隆部５として構成した場合には、蓋体２のスライド方向への摺接力による捻れ等を確実に防止することが可能になり、安定したシール性能を得ることが可能になる。
【発明の効果】
【００１３】
本発明によれば、シール性能を高め、かつ、装置の小型化を図ることができる。
【発明を実施するための最良の形態】
【００１４】
図１以下に携帯電話として構成された本発明の実施の形態を示す。携帯電話は、図１に示すように、第１、第２ユニット９、１０をヒンジ１１を介して折り畳み可能に連結して形成される。第１ユニット９の折り畳み状態における第２ユニット１０との対峙面には図示しないディスプレイ装置が配置され、第２ユニット１０の第１ユニット９への対峙面には、図２に示すように、操作ボタン１０ａ等が配置されて操作面１０ｂが構成される。
【００１５】
８はバッテリであり、第２ユニット１０のケーシング１の下面（以下、本明細書において図２に示す姿勢を基準に「上下」方向を定義する。）に凹設されるバッテリ収容部１２に収容される。バッテリ収容部１２は、内部に配置される端子、あるいは電子素子等の短絡を防止するために所定の防水性能が与えられた要シール領域として設計される。
【００１６】
２は上記バッテリ収容部１２を閉塞するための蓋体であり、ケーシング１のヒンジ１１に対する直交辺に沿ってスライドさせることにより装脱されるスライド蓋として構成される。なお、本明細書においてヒンジ１１に対して直交する方向を「前後」方向とし、ヒンジ１１側を「前方」とする。
【００１７】
蓋体２は対向２側辺に立設される側壁の上縁に適宜間隔をおいて突設されるガイド片２ａをケーシング１側のガイド部４に係止させてスライド方向が規制される。また、蓋体２の前端縁にはフック部２ｃを備えた係止脚２ｂが前方に向けて突設され、蓋体２を前方に向けてスライドさせてバッテリ収容部１２を閉塞した際にケーシング１側の被係止部１ａに弾発係止し、閉塞状態を維持する。さらに、蓋体２の後端縁には差込片２ｄが前方に向けて突設され、バッテリ収容部１２の閉塞状態においてケーシング１側の係止部１ｂに係止して後端縁のめくれ上がりが防止される。
【００１８】
図３、４に示すように、上記バッテリ収容部１２内を防水するために、バッテリ収容部１２の周壁下面にシール受け面１３が形成されるとともに、蓋体２には合成ゴム等の柔軟性に富む材料に形成されるパッキン３が固定される。図４に示すように、シール受け面１３は、前方に行くに従って下方に向かう傾斜面７により形成される。
【００１９】
パッキン３は矩形シート状の基部６の周縁に膨隆部５を一体に膨隆させて形成され、蓋体２の上面に形成されたパッキン取付凹部２ｅに基部６を接着して固定される。パッキン３の膨隆部５は蓋体２に固定した際に膨隆部５の頂部（上面）が、上記ケーシング１側のシール受け面１３とほぼ平行に、前方に行くに従って漸次下方に向かう傾斜面７により形成される。
【００２０】
したがってこの実施の形態において、バッテリ収容部１２にバッテリ８を収容した状態で蓋体２をガイド部４に沿って水平方向、前方にスライドさせると、図４（ｂ）に示すように、パッキン３の膨隆部５の頂部がシール受け面１３に徐々に接近する。この後、さらに閉蓋操作を続けると、係止脚２ｂがケーシング１に弾発係止する閉蓋操作完了時においては、パッキン３の膨隆部５頂部はシール受け面１３に所定圧力で圧接してシール面が形成される。
【００２１】
なお、以上においては、蓋体２に形成された水平面からなるパッキン３取付凹部に基部６からの高さが漸次変化する膨隆部５を有するパッキン３を固定して傾斜面７からなるシール面を得る場合を示したが、この他に、パッキン３取付面を傾斜面７により形成し、膨隆部５の高さを一定にすることも可能である。
【００２２】
パッキン３は蓋体２以外にケーシング１側に固定することも可能であり、図５にはこの場合の実施の形態が示されている。なお、図５において上述した実施の形態と実質的に同一の構成要素は図中に同一符号を付して説明を省略する。
【００２３】
図５に示す実施の形態において、ケーシング１の下面に形成されるバッテリ収容部１２の周壁上面は、前方に行くに従って漸次下方に向かう傾斜面７により形成され、この周壁上面に平面視矩形で全長に渡って深さが均一なＯリング装着溝１４が形成される。Ｏリング装着溝１４には全長に渡って等径の円形断面を有するＯリング（パッキン３）が嵌合、固定され、前方に行くに従って漸次下方に向かう傾斜姿勢を保持する。
【００２４】
一方、蓋体２は図示しないが上述した実施の形態と同様にケーシング１側のガイド部４等にガイドされて水平姿勢で前方にスライドさせることによりケーシング１に装着できる。図５（ａ）に示すように、この蓋体２の上面は前方に行くに従って上方に向かう傾斜面７により形成されており、上記Ｏリング３に対応する矩形枠領域がシール受け面１３として使用される。
【００２５】
したがってこの実施の形態において、図５（ａ）に示すように、蓋体２を水平方向にスライドさせると、シール面にＯリングが漸次接近し、蓋体２をケーシング１に装着した状態でＯリングが蓋体２のシール受け面１３に所定接触圧で圧接し、シール面が形成される。
【００２６】
なお、図５においては、蓋体２は上面全面が傾斜面７を形成する場合を示したが、Ｏリング対応位置のみを平面視矩形枠形状に膨隆させてその頂部に傾斜面７を形成してシール受け面１３とすることもできる。このようにシール受け面１３を蓋体２の上面に一部に形成すると、シール受け面１３の平面度等の精度を高くすることができるために、製造が容易で、かつ、高いシール性能を発揮させることができる。
【図面の簡単な説明】
【００２７】
【図１】本発明を示す図で、（ａ）は一部を破断して示す携帯電話の側面図、（ｂ）は（ａ）の１Ｂ方向矢視図、（ｃ）は（ｂ）の１Ｃ-１Ｃ線断面図である。
【図２】第２ユニットの分解斜視図である。
【図３】第２ユニットの背面から見た分解斜視図である。
【図４】蓋体の装着状態を示す説明図で、（ａ）は側面図、（ｂ）はシール面形成途上を示す（ａ）の要部拡大図である。
【図５】本発明の他の実施の形態を示す図で、（ａ）は側面図、（ｂ）はシール面形成状態を示す（ａ）の要部拡大図である。
【符号の説明】
【００２８】
１        ケーシング
２        蓋体
３        パッキン
４        ガイド部
５        膨隆部
６        基部
７        傾斜面
【図１】
2007157779.tif 000003
【図２】
2007157779.tif 000004
【図３】
2007157779.tif 000005
【図４】
2007157779.tif 000006
【図５】
2007157779.tif 000007
【手続補正書】
【提出日】平成17年12月2日(2005.12.2)
【手続補正１】
【補正対象書類名】図面
【補正対象項目名】図４
【補正方法】変更
【補正の内容】
【図４】
2007157779.tif 000008
【手続補正２】
【補正対象書類名】図面
【補正対象項目名】図５
【補正方法】変更
【補正の内容】
【図５】
2007157779.tif 000009
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
ガイド部を有する筐体と、
前記筐体の前記ガイド部に沿ってスライド可能かつ着脱可能に装着される蓋体とを有する電子装置のパッキンにおいて、
前記筐体又は前記蓋体のいずれか一方に固定されるとともに、前記蓋体のスライド面からの高さが、前記蓋体の閉操作時におけるスライド方向前方に向かって低くなるように形成されることにより、前記筐体と前記蓋体との境界を水密に密封することを特徴とするパッキン。
【請求項２】
前記シール面の傾斜面が、前記パッキンを固定する固定面からの高さ変化により形成されることを特徴とする請求項１記載のパッキン。
【請求項３】
前記シール面の傾斜面が、前記パッキンを固定する固定面であって、傾斜面によって形成される固定面の高さ変化により形成されることを特徴とする請求項１記載のパッキン。
【請求項４】
前記パッキンがＯリングであることを特徴とする請求項３記載のパッキン。
【請求項５】
前記パッキンは、頂部において前記シール面を構成する枠状の膨隆部をシート状の基部の表面に膨隆させて形成されることを特徴とする請求項１、２または３記載のパッキン。
【請求項６】
ガイド部を有する筐体と、
前記筐体の前記ガイド部に沿ってスライド可能かつ着脱可能に装着される蓋体と、
前記筐体又は前記蓋体のいずれか一方に固定されるとともに、前記蓋体のスライド面からの高さが、前記蓋体の閉操作時におけるスライド方向前方に向かって低くなるように形成されることにより、前記筐体と前記蓋体との境界を水密に密封するパッキンとを有することを特徴とする電子装置。
【請求項７】
前記シール面の傾斜面が、前記パッキンを固定する固定面からの高さ変化により形成されることを特徴とする請求項６記載の電子装置。
【請求項８】
前記シール面の傾斜面が、前記パッキンを固定する固定面であって、傾斜面によって形成される固定面の高さ変化により形成されることを特徴とする請求項６記載の電子装置。
【請求項９】
前記パッキンがＯリングであることを特徴とする請求項８記載の電子装置。
【請求項１０】
前記パッキンは、頂部において前記シール面を構成する枠状の膨隆部をシート状の基部の表面に膨隆させて形成されることを特徴とする請求項６、７または８記載の電子装置。
【手続補正３】
【補正対象書類名】明細書
【補正対象項目名】０００１
【補正方法】変更
【補正の内容】
【０００１】
本発明はパッキンおよび電子装置に関するものである。
【手続補正４】
【補正対象書類名】明細書
【補正対象項目名】０００７
【補正方法】変更
【補正の内容】
【０００７】
本発明は、以上の欠点を解消すべくなされたものであって、シール性能が高く、かつ、小型化の可能な電子装置および該電子装置に使用されるパッキンの提供を目的とする。
【手続補正５】
【補正対象書類名】明細書
【補正対象項目名】００２６
【補正方法】変更
【補正の内容】
【００２６】
なお、図５においては、蓋体２は上面全面が傾斜面７を形成する場合を示したが、Ｏリング対応位置のみを平面視矩形枠形状に膨隆させてその頂部に傾斜面７を形成してシール受け面１３とすることもできる。このようにシール受け面１３を蓋体２の上面に一部に形成すると、シール受け面１３の平面度等の精度を高くすることができるために、製造が容易で、かつ、高いシール性能を発揮させることができる。
（付記１）
ガイド部を有する筐体と、
前記筐体の前記ガイド部に沿ってスライド可能かつ着脱可能に装着される蓋体とを有する電子装置のパッキンにおいて、
前記筐体又は前記蓋体のいずれか一方に固定されるとともに、前記蓋体のスライド面からの高さが、前記蓋体の閉操作時におけるスライド方向前方に向かって低くなるように形成されることにより、前記筐体と前記蓋体との境界を水密に密封することを特徴とするパッキン。
（付記２）
前記シール面の傾斜面が、前記パッキンを固定する固定面からの高さ変化により形成されることを特徴とする付記１記載のパッキン。
（付記３）
前記シール面の傾斜面が、前記パッキンを固定する固定面であって、傾斜面によって形成される固定面の高さ変化により形成されることを特徴とする付記１記載のパッキン。
（付記４）
前記パッキンがＯリングであることを特徴とする付記３記載のパッキン。
（付記５）
前記パッキンは、頂部において前記シール面を構成する枠状の膨隆部をシート状の基部の表面に膨隆させて形成されることを特徴とする付記１、２または３記載のパッキン。
（付記６）
ガイド部を有する筐体と、
前記筐体の前記ガイド部に沿ってスライド可能かつ着脱可能に装着される蓋体と、
前記筐体又は前記蓋体のいずれか一方に固定されるとともに、前記蓋体のスライド面からの高さが、前記蓋体の閉操作時におけるスライド方向前方に向かって低くなるように形成されることにより、前記筐体と前記蓋体との境界を水密に密封するパッキンとを有することを特徴とする電子装置。
（付記７）
前記シール面の傾斜面が、前記パッキンを固定する固定面からの高さ変化により形成されることを特徴とする付記６記載の電子装置。
（付記８）
前記シール面の傾斜面が、前記パッキンを固定する固定面であって、傾斜面によって形成される固定面の高さ変化により形成されることを特徴とする付記６記載の電子装置。
（付記９）
前記パッキンがＯリングであることを特徴とする付記８記載の電子装置。
（付記１０）
前記パッキンは、頂部において前記シール面を構成する枠状の膨隆部をシート状の基部の表面に膨隆させて形成されることを特徴とする付記６、７または８記載の電子装置。
（付記１１）
ケーシングに着脱可能に装着される蓋体とケーシングの少なくともいずれか一方に固定されるパッキンによりケーシングと蓋体との境界に要シール領域を画成した電子装置であって、
前記蓋体はケーシングに形成されたガイド部に沿ってスライド可能なスライド蓋として形成され、
かつ、前記パッキンによるシール面は、閉蓋操作先端に行くに従って蓋体のスライド面からの高さが漸次低背となる傾斜面により形成される電子装置。
（付記１２）
前記シール面の傾斜面がパッキンの固定面からの高さ変化により形成される付記１１記載の電子装置。
（付記１３）
前記シール面の傾斜面がパッキンの固定面の高さ変化により形成される付記１１記載の電子装置。
（付記１４）
前記パッキンがＯリングである付記１３記載の電子装置。
（付記１５）
前記パッキンは、頂部においてシール面を構成する枠状の膨隆部をシート状の基部の表面に膨隆させて形成される付記１１、１２または１３記載の電子装置。